(57)【要約】【課題】ユーザが不本意にタッチパネルに接触して、所望していない動作モードなどが設定されてしまう不具合を防ぐことができる画像記録装置を提供する。【解決手段】本発明に係わる画像記録装置（１０）は、撮影光学系により形成された被写体像を撮像する撮像部（２１）と、被写体像等が表示可能であり且つ直交する２方向に回動自在に支持された表示部（１６ｂ）と、該表示部の表示面に設けられ、物体が接触した位置を入力として検出する入力用パネル（１６ａ）と、前記表示部の回動位置を検出する位置検出手段（２８）と、該位置検出手段で検出された前記表示部の回動位置が第１の範囲にあるときは前記入力用パネルで検出された入力を有効とする第１制御モードに設定し、前記位置検出手段により検出された前記表示部の回動位置が第２の範囲にあるときは前記入力用パネルで検出された入力を無効とする第２制御モードに設定する制御手段（２９）と、を備える。【選択図】図３
2010171703.tif 000002
【特許請求の範囲】
【請求項１】
撮影光学系により形成された被写体像を電子的に撮像する撮像部と、
前記撮像部で撮像された被写体像又は指示入力用の特定図柄が表示可能であり且つ直交する２方向に回動自在に支持された表示部と、
前記表示部の表示面に設けられ、物体が接触した位置を入力として検出する入力用パネルと、
前記表示部の回動位置を検出する位置検出手段と、
前記位置検出手段により検出された前記表示部の回動位置が第１の範囲にあるときは、前記入力用パネルで検出された入力を有効とする第１制御モードに設定し、前記位置検出手段により検出された前記表示部の回動位置が第２の範囲にあるときは、前記入力用パネルで検出された入力を無効とする第２制御モードに設定する制御手段と、
を備えることを特徴とする画像記録装置。
【請求項２】
請求項１に記載の画像記録装置であって、
前記制御手段は、
前記第２制御モードに設定したときは、前記表示部に前記入力用パネルからの入力が無効であることを知らせるメッセージを表示させること、
を特徴とする画像記録装置。
【請求項３】
請求項１又は２に記載の画像記録装置であって、
前記制御手段は、
前記表示部の回動位置が第２の範囲にあるときに、第１制御モード又は第２制御モードのいずれに設定するかをユーザ入力に応じて切り替えること、
を特徴とする画像記録装置。
【発明の詳細な説明】
【技術分野】
【０００１】
本発明は、画像記録装置に関するものである。
【背景技術】
【０００２】
従来、デジタルカメラなどの画像記録装置では、さまざまなアングルでの撮影を容易にするために、カメラ背面の液晶モニタを回動可能に支持するようにしたものが主流となっている。また、これらの中には、複数の回転軸により液晶モニタを支持することにより、より自由度の高い撮影が可能なフリーアングルモニタと呼ばれる機種も増えている。（例えば、特許文献１参照）。
【先行技術文献】
【特許文献】
【０００３】
【特許文献１】特開２００３−３１５８９１号公報
【発明の概要】
【発明が解決しようとする課題】
【０００４】
近年では、液晶モニタとタッチパネル（接触型センサ）とを組み合わせたタッチパネル型のフリーアングルモニタ（以下、単にフリーアングルモニタという）を備えた機種も登場している。このようなフリーアングルモニタでは、液晶モニタに表示しているアイコンに合わせてタッチパネルに指やペン型部材（以下、「指など」という）を接触させると、その位置に表示されているアイコンが特定され、カメラ側では、そのアイコンの示す操作がユーザに選択されたものとして、対応する動作などを行うようになっている。
【０００５】
しかしながら、フリーアングルモニタでは、液晶モニタのアングルを変えるために、ユーザが液晶モニタの外周部を掴んで角度を変えるため、ユーザの指などがタッチパネルに触れてしまい、所望していない動作モードなどが設定されてしまうという不具合が発生しやすいものとなっていた。
【０００６】
本発明の課題は、ユーザが不本意にタッチパネルに接触して、所望していない動作モードなどが設定されてしまう不具合を防ぐことができる画像記録装置を提供することにある。
【課題を解決するための手段】
【０００７】
本発明は、以下のような解決手段により前記課題を解決する。なお、理解を容易にするために、本発明の実施形態に対応する符号を付して説明するが、これに限定されるものではない。
請求項１に記載の発明は、撮影光学系（１２ａ）により形成された被写体像を電子的に撮像する撮像部（２１）と、前記撮像部で撮像された被写体像又は指示入力用の特定図柄が表示可能であり且つ直交する２方向に回動自在に支持された表示部（１６ｂ）と、前記表示部の表示面に設けられ、物体が接触した位置を入力として検出する入力用パネル（１６ａ）と、前記表示部の回動位置を検出する位置検出手段（２８）と、前記位置検出手段により検出された前記表示部の回動位置が第１の範囲にあるときは、前記入力用パネルで検出された入力を有効とする第１制御モードに設定し、前記位置検出手段により検出された前記表示部の回動位置が第２の範囲にあるときは、前記入力用パネルで検出された入力を無効とする第２制御モードに設定する制御手段（２９）とを備えることを特徴とする画像記録装置である。
請求項２に記載の発明は、請求項１に記載の画像記録装置であって、前記制御手段（２９）は、前記第２制御モードに設定したときは、前記表示部（１６ｂ）に前記入力用パネル（１６ａ）からの入力が無効であることを知らせるメッセージを表示させることを特徴とするものである。
請求項３に記載の発明は、請求項１又は２に記載の画像記録装置であって、前記制御手段（２９）は、前記表示部（１６ｂ）の回動位置が第２の範囲にあるときに、第１制御モード又は第２制御モードのいずれに設定するかをユーザ入力に応じて切り替えることを特徴とするものである。
なお、符号を付して説明した構成は、適宜改良してもよく、また、少なくとも一部を他の構成物に代替してもよい。
【発明の効果】
【０００８】
本発明によれば、ユーザが不本意にタッチパネルに接触して、所望していない動作モードなどが設定されてしまう不具合を防ぐことができる画像記録装置を提供することができる。
【図面の簡単な説明】
【０００９】
【図１】実施形態に係わるカメラの外観図である。
【図２】（ａ）〜（ｃ）はフリーアングルモニタを定位置からフリーアングル位置まで回動させたときの様子を示す背面図である。
【図３】カメラの電気的な構成を示すブロック図である。
【図４】フリーアングルモニタの回動位置を示す説明図である。
【図５】フリーアングルモニタの回動位置に応じて制御モードを切り替える場合の処理手順を示すフローチャートである。
【図６】メッセージの表示画面を示す説明図である。
【図７】タッチパネル入力設定の画面を示す説明図である。
【発明を実施するための形態】
【００１０】
以下、図面を参照して、本発明に係わる画像記録装置を備えたカメラの実施形態について説明する。なお、以下に示す図面には、説明と理解とを容易にするために、適宜にＸＹＺの直交座標系を設けた。この座標系では、撮影者が光軸Ｌを水平として横長の画像を撮影する場合のカメラ位置（以下、正位置という）において撮影者から見て左側に向かう方向をＸプラス方向とする。また、正位置において上側に向かう方向をＹプラス方向とする。さらに、正位置において被写体に向かう方向をＺ方向とする。
【００１１】
図１は、本実施形態に係わるカメラの外観図である。本実施形態のカメラ１０は、カメラボディ１１と、このカメラボディ１１と一体に取り付けられたレンズ鏡筒１２とを備えている。
【００１２】
カメラボディ１１の上面には、レリーズボタン１３、液晶パネル１４、露出モードや撮影条件などを入力するコマンドダイアル１５が配置されている。また、カメラボディ１１の背面側には、フリーアングルモニタ１６、ファインダー１８、メインスイッチ１９、セレクタダイアル２０が配置されている。
【００１３】
フリーアングルモニタ１６は、液晶モニタ１６ｂと、その表示面に設けられたタッチパネル１６ａ（図３参照）とから構成されている。液晶モニタ１６ｂは、後述の撮像部２１により撮像された画像の静止画やライブビューの画像を含む動画、又は各種モードや機能、条件などを設定する際に用いられる指示入力用の特定図柄であるアイコンを表示する表示部として機能する。また、タッチパネル１６ａは、ユーザの指などの物体が接触した位置を入力として検出する入力用パネルであり、接触型センサにより構成されている。なお、図１では、フリーアングルモニタ１６の手前側にあるタッチパネル１６ａのみを図示している。
【００１４】
また、フリーアングルモニタ１６は、カメラボディ１１の左端に設けられたヒンジ部１７により回動自在に支持されている。本実施形態のヒンジ部１７は、回転軸Ａ及び回転軸Ｂを備えた２軸の回動部である。このヒンジ部１７により、フリーアングルモニタ１６は、回転軸Ａを中心として略１８０度回転可能であり、また回転軸Ａと直交する回転軸Ｂを中心として略３６０度回動可能となる。これによりユーザは、フリーアングルモニタ１６の表示面を任意の方向に向けることが可能となる。
【００１５】
ここで、フリーアングルモニタ１６の回動について説明する。図２（ａ）〜（ｃ）は、カメラ１０のフリーアングルモニタ１６を定位置からフリーアングル位置まで回動させたときの様子を示す背面図である。
【００１６】
図２（ａ）は、カメラボディ１１の背面にフリーアングルモニタ１６が納められているときの様子を示しており、この位置がフリーアングルモニタ１６の定位置となる。フリーアングルモニタ１６が定位置にあるときは、液晶モニタ１６ｂの表示面がユーザ側を向いている。このため、ユーザは、液晶モニタ１６ｂに表示された被写体像や複数のアイコンが配置された選択画面を見ることができる。通常、フリーアングルモニタ１６から入力を行う場合は、フリーアングルもモニタ１６を定位置に収めた状態とし、カメラボディ１１をホールドしながらタッチパネル１６ａに指などを接触させる。また撮影時には、カメラ１０を適宜に動かすことにより、フリーアングルモニタ１６の表示画面を所望の位置にすることができる。
【００１７】
一方、フリーアングルモニタ１６を定位置から回転軸Ａを中心として矢印方向に１８０度回転させると、図２（ｂ）に示すように、フリーアングルモニタ１６はカメラボディ１１の左側に移動する。ただし、この位置では、液晶モニタ１６ｂは被写体側を向いているため、ユーザには液晶モニタ１６ｂに表示された画像を見ることはできない。さらに、図２（ｂ）の位置から、フリーアングルモニタ１６を回転軸Ｂを中心として矢印方向に１８０度回転させると、図２（ｃ）に示すように、フリーアングルモニタ１６の液晶モニタ１６ｂはユーザ側を向くことになる。
【００１８】
したがって、液晶モニタ１６ｂをライブビュー表示とし、図２（ｃ）の状態からフリーアングルモニタ１６を回転軸Ｂを中心として手前側に略９０度回動させ、カメラ１０を上方に差し上げることによりハイアングル撮影を行うことが可能となる。また、フリーアングルモニタ１６を回転軸Ｂを中心として向こう側に略９０度回動させ、カメラ１０を下方に降ろすことによりローアングル撮影を行うことが可能となる。
【００１９】
再び図１の説明に戻ると、ファインダー１８は、カメラボディ１１の図示しない光学系により得られた被写体像を確認するための光学ファインダーである。また、メインスイッチ１９はカメラの電源をオン、オフするためのスイッチである。セレクタダイアル２０は、液晶モニタ１６ｂに表示されたメニュー項目の選択や設定などを行う入力手段である。なお、カメラ１には、この他にも各種ダイアル、レバー、スイッチなどの操作部材が配置されているが、これらの図示と説明を省略する。
【００２０】
図３は、カメラ１０の電気的な構成を示すブロック図である。以下、各部について説明する。
【００２１】
レンズ鏡筒１２は、内部に撮像光学系であるレンズ１２ａを備えている。レンズ鏡筒１２に入射した被写体光はレンズ１２ａにより屈折され、射出側となる撮像部２１の受光面に被写体像が結像される。
【００２２】
撮像部２１は、平面配置された複数の図示しない固体撮像素子により構成され、レンズ１２ａにより結像された被写体像を固体撮像素子の受光面で撮像し、画像信号に変換して画像処理部２２へ出力する。
【００２３】
画像処理部２２は、撮像部２１から出力された画像信号に対し、ノイズ除去、Ａ／Ｄ変換、色補正処理、サイズ変更、符号化などの処理を行い、デジタルの画像データを作成する。この画像データは後述するＤＲＡＭ２５に一時的に記憶される。
【００２４】
ＥＥＰＲＯＭ２３は、カメラ１０の電源がオフしても記憶した情報を保持する不揮発性メモリであり、ユーザ設定やカスタム設定などの入力情報が記憶される。
【００２５】
ＲＯＭ２４は、カメラ１０の動作や制御に必要なプログラムのほか、このプログラムの実行に必要な初期値や設定値などが記憶される。
【００２６】
ＤＲＡＭ２５は、カメラ１０の電源がオフしたときに記憶した情報が消去される揮発性メモリであり、上述した画像データのほか、画像処理部２２、制御部２９などが処理を行う際に必要なデータが一時的に記憶される。
【００２７】
メモリカードＩ／Ｆ（インターフェース）部２６は、ＤＲＡＭ２５に記憶されている画像データをメモリカード１００に記録し、またメモリカード１００に記録されている画像データを読み出す機能を備えた書き込み／読み出し装置である。このメモリカードＩ／Ｆ部２６の図示しないメモリカードスロットには、メモリカード１００が着脱自在に装着される。
【００２８】
液晶パネル１４は、カメラ１０の上面に配置された表示装置であり、シャッタースピード、絞り値、設定感度などの撮影条件に関する情報が表示される。
【００２９】
電源回路２７は、図示しない電源装置から出力された電力を各部の作動状況に応じて供給する回路である。この電源回路２７による電力供給は、制御部２９により制御されている。
【００３０】
角度検出部２８は、フリーアングルモニタ１６のヒンジ部１７（図１参照）に設けられ、フリーアングルモニタ１６の回動位置を検出する位置検出手段として機能する。本実施形態では、図４に示すように、フリーアングルモニタ１６がカメラ背面の定位置（ゼロ度）から１０度を越えて回動したときは、制御部２９に回動検出信号を送信する。なお、本実施形態では、角度検出部２８の具体的な図示を省略しているが、角度検出部２８は既存のロータリーエンコーダにより構成されている。
【００３１】
制御部２９は、カメラ１０全体の動作を制御する回路であり、マイクロプロセッサにより構成されている。制御部２９には、モードダイアル３、レリーズボタン４、セレクタダイアル９などの操作部材から送信された各種信号やデータなどが入力される。
【００３２】
また、制御部２９は、角度検出部２８により検出されたフリーアングルモニタ１６の回動位置が第１の範囲にあるときは、タッチパネル１６ａで検出された入力を有効とする第１制御モードに設定し、また、角度検出部２８により検出されたフリーアングルモニタ１６の回動位置が第２の範囲にあるときは、タッチパネル１６ａで検出された入力を無効とする第２制御モードに設定する制御手段として機能する。詳しくは、角度検出部２８から回動検出信号を受信しないときは、フリーアングルモニタ１６の回動位置が第１の範囲にあると判断して、タッチパネル１６ａで検出された入力を有効とする第１制御モードに設定する。また、角度検出部２８から回動検出信号を受信したときは、フリーアングルモニタ１６の回動位置が第２の範囲にあると判断して、タッチパネル１６ａで検出された入力を無効とする第２制御モードに設定する。さらに、回動検出信号を受信しなくなった場合に、すでに第２制御モータに設定されているときは、タッチパネル１６ａで検出された入力を有効とする第１制御モードに設定する。
【００３３】
また、制御部２９は、後述するように、第２制御モードに設定したときに、タッチパネル１６ａからの入力が無効であることをユーザに知らせるメッセージを液晶モニタ１６ｂに表示させるようにしている。
【００３４】
さらに、制御部２９は、後述するように、フリーアングルモニタ１６の回動位置が第２の範囲となった場合に、第１制御モードまたは第２制御モードのいずれに設定するかをユーザの入力により切り替えるようにしている。
【００３５】
制御部２９は、この他にも、焦点調節のためのレンズ駆動や、露出制御のための図示しない絞りユニットやシャッターユニットの制御を行っている。
【００３６】
次に、制御部２９において、フリーアングルモニタ１６の回動位置に応じて制御モードを切り替える場合の処理手順を図５のフローチャートにより説明する。
【００３７】
まず、制御部２９は、角度検出部２８から回動検出信号を受信したかどうかを判断する（ステップＳ１０１）。初期位置としてフリーアングルモニタ１６は定位置に収められているため、ユーザがフリーアングルモニタ１６を図２（ａ）の定位置から回転軸Ａを中心として回転させたときに、回動角度が１０度を越えると、回動検出信号が制御部２９へ送信されることになる。
【００３８】
ステップＳ１０１において、回動検出信号を受信したと判断した場合、制御部２９は、タッチパネル１６ａで検出された入力を無効とする第２制御モードに設定する（ステップＳ１０２）。この場合、ユーザの指などがタッチパネル１６ａに触れても、その入力は無効となるため、所望していない動作モードに設定されることはない。
【００３９】
また、制御部２９は、第２制御モードに設定した後、図６に示すように、液晶モニタ１６ｂへメッセージを表示させる（ステップＳ１０３）。図６では、タッチパネル１６ａからの入力が無効であることを示す「タッチパネルからの入力をロックします」というメッセージを液晶モニタ１６ｂに表示した例を示している。
【００４０】
一方、ステップＳ１０１において、回動検出信号を受信したと判断した場合は、現在、第２制御モードに設定されているかどうかを判断する（ステップＳ１０４）。ここで、ＮＯであれば、ステップＳ１０１へリターンする。すなわち、フリーアングルモニタ１６が開いているときは、タッチパネル１６ａからの入力が無効のままとなる。また、ステップＳ１０４でＹＥＳであれば、第１制御モードに設定する（ステップＳ１０５）。このように、回動検出信号を受信しないときは、フリーアングルモニタ１６がほぼ定位置に戻った状態であるため、その時点で第２制御モードであるときは、第１制御モードに設定することにより、タッチパネル１６ａからの入力が有効となる。
【００４１】
上記のような制御モードの自動設定を行うか否かは、ユーザ入力により切り替えることができる。図７は、タッチパネル入力設定の画面を示す説明図である。ユーザが液晶モニタ１６ｂに表示された図示しないカスタムメニューの中から「タッチパネル入力設定」を選択すると、図７に示すような設定画面が表示される。そして、表示された「はい」、「いいえ」のいずれかをセレクタダイアル２０を操作して選択し、最後にセレクタダイアル２０の中央のＯＫボタンを押すことにより、設定内容を登録させることができる。この登録内容は、ＥＥＰＲＯＭ２３に記憶される。
【００４２】
上記実施形態によれば、以下の効果を奏する。
（１）ユーザがフリーアングルモニタ１６を回動させて表示面を任意の方向に向けようとしたときには第２制御モードに設定されるので、ユーザの指などがタッチパネル１６ａに触れたとしても、タッチパネル１６ａで検出された入力が無効となる。このため、ユーザが所望していない動作モードなどが設定されてしまうという不具合を回避することができる。
（２）第２制御モードに設定したときは、タッチパネル１６ａからの入力が無効であることを知らせるメッセージを液晶モニタ１６ｂに表示させるようにしたので、ユーザは安心してフリーアングルモニタ１６を操作することができる。また、この状態で指などにより入力操作を行った場合に何ら反応がない場合でも、カメラ１０の故障や異常でないことを容易に理解することができる。
（３）制御モードの自動設定を行うか否かをユーザ入力により切り替えるようにしたので、ユーザの趣向に合わせた設定変更を行うことができる。
（変形形態）
【００４３】
以上説明した実施形態に限定されることなく、本発明は以下に示すような種々の変形や変更が可能であり、それらも本発明の範囲内である。
（１）角度検出部２８は、上記実施形態に示すロータリーエンコーダに限定されるものではなく、同等に機能し得るものであれば、他の構成により実現することができる。例えば、フリーアングルモニタ１６が定位置からわずかでも回動した場合に、タッチパネル１６ａで検出された入力を無効とする場合は、電気接点の接触／離間に応じてＯＮ／ＯＦＦ信号を発生するスイッチを用いることができる。
（２）タッチパネル１６ａで検出された入力を無効とする第２制御モードに設定したときに、図６に示すようなメッセージを表示する代わりに、タッチパネル１６ａからの入力が無効であることを示すアイコンなどを表示してもよいし、表示画面全体の色を変える（グレー又はブラックなど）ようにしてもよい。
（３）本実施形態では、本発明に係わる画像記録装置をデジタルカメラに適用した例について説明したが、これに限らず、ビデオカメラや携帯電話などにも適用することができる。
【符号の説明】
【００４４】
１０：カメラ、１１：カメラボディ、１２：レンズ鏡筒、１６：フリーアングルモニタ、１６ａ：タッチパネル、１６ｂ：液晶モニタ、１７：ヒンジ部、２８：角度検出部、２９：制御部
【図１】
2010171703.tif 000003
【図２】
2010171703.tif 000004
【図３】
2010171703.tif 000005
【図４】
2010171703.tif 000006
【図５】
2010171703.tif 000007
【図６】
2010171703.tif 000008
【図７】
2010171703.tif 000009